(57)【要約】【課題】構成部材の削減と連結作業の簡略化が図れ、連結部の構成部材の外部への露呈の抑制が図れるようにすること。【解決手段】一対の表面板２と枠材３Ａ，３Ｂと表面板及び枠材にて形成される空間内に充填される発泡断熱材４とを具備する第１，第２の断熱パネル１Ａ，１Ｂを直交状に連結する断熱パネルの連結構造において、第１の断熱パネルの枠材３Ａを断面略コ字状に形成すると共に、下辺部５２に凹部３１を形成し、第２の断熱パネルの枠材３Ｂは、凹部と嵌合可能な凸部を形成すると共に、凸部に第２の断熱パネルの枠材の長手方向に連接する第２の断熱パネル同士を跨いで固定するコ字状の支え金具６０が収容可能な一対の凹溝部４０ａ，４０ｂを形成し、凹溝部の一方に収容される支え金具６０の脚部を両第２の断熱パネルに食い込ませて第２の断熱パネル同士を固定し、第１の断熱パネルの枠材及び発泡断熱材を貫通するボルトを他方の凹溝部にねじ結合する。【選択図】    図２
2015025584.tif 000002
【特許請求の範囲】
【請求項１】
一対の表面板と、これら表面板の辺部間に介在される枠材と、上記両表面板及び枠材にて形成される空間内に注入充填される発泡断熱材とを具備する第１及び第２の断熱パネルを直交状に連接し、第１の断熱パネルの枠材及び発泡断熱材を貫通するボルトを上記第２の断熱パネルの枠材にねじ結合して固定する断熱パネルの連結構造であって、
上記第１の断熱パネルの枠材を断面略コ字状に形成すると共に、連結面を構成する辺部に連結用の凹部を長手通しに形成し、
上記第２の断熱パネルの枠材は、上記連結用の凹部と嵌合可能な連結用の凸部を長手通しに形成すると共に、該凸部に第２の断熱パネルの枠材の長手方向に連接する第２の断熱パネル同士を跨いで固定する一対の脚部を有するコ字状の支え金具が収容可能な一対の凹溝部を形成し、
上記一対の凹溝部の一方に収容される上記支え金具の脚部を上記両第２の断熱パネルに食い込ませて上記第２の断熱パネル同士を固定し、上記第１の断熱パネルの枠材及び発泡断熱材を貫通するボルトを上記他方の凹溝部にねじ結合してなる、
ことを特徴とする断熱パネルの連結構造。
【請求項２】
請求項１に記載の断熱パネルの連結構造において、
上記連結用の凹部の中央部に第１の断熱パネルの外方に向かって突出する凸条を長手通しに形成し、上記連結用の凸部の中央部には、上記凸条と嵌合可能な凹条を長手通しに形成してなる、ことを特徴とする断熱パネルの連結構造。
【発明の詳細な説明】
【技術分野】
【０００１】
この発明は、例えばプレハブ式の冷蔵庫や冷凍庫あるいはクリーンルーム等を構成する断熱パネルの連結構造に関するものである。
【背景技術】
【０００２】
従来、冷蔵庫や冷凍庫あるいはクリーンルーム等の外装壁を構成する軽量かつ耐食性及び断熱性に優れた断熱パネルは、一対のアルミニウム製の表面板と、これら表面板の辺部間に介在される合成樹脂製の枠材と、上記両表面板及び枠材にて形成される空間内に注入充填される発泡断熱材とで構成されている。この断熱パネルは、結合強度や気密性の観点より、枠材の外側面に形成される凹部あるいは凸部を設け、これら凹部と凸部を互いに嵌合させている。
【０００３】
一般に、冷蔵庫等の外装壁を構成する断熱パネルを連結する際、パネルの端部同士を直交状に連接させ、ボルトによって連結している。この場合、一方の断熱パネルの枠材を断面略コ字状に形成すると共に、連結面を構成する辺部に連結用の凹部を長手通しに形成し、他方の断熱パネルの枠材には、上記連結用の凹部と嵌合可能な連結用の凸部を長手通しに形成すると共に、該凸部の中央部に断熱パネルの内方に向かって突出する凹溝を形成し、一方の断熱パネルの枠材及び発泡断熱材を貫通するボルトを他方の断熱パネルの枠材の凹溝にねじ結合して両パネルを直交状に連結する構造が知られている（例えば、特許文献１参照）。
【先行技術文献】
【特許文献】
【０００４】
【特許文献１】特開２００５−２６５３１８号公報（段落００２６、図１）
【発明の概要】
【発明が解決しようとする課題】
【０００５】
しかしながら、特許文献１に記載の構造においては、断熱パネルの枠材の長手方向に連接する断熱パネル同士の直状の連結構造については言及されていない。そのため、直交状に連結される断熱パネルにおいて、枠材の長手方向に連接する断熱パネル同士を直状に連結する場合には、別途に連結部材を用いて連結する必要がある。
【０００６】
したがって、直交状に連結される断熱パネルの連結部及び、枠材の長手方向に連接する断熱パネル同士の連結部における構成部材の削減、連結作業の簡略化が望まれると共に、連結部材の外部への露呈の抑制が望まれている。
【０００７】
この発明は、上記事情に鑑みてなされたもので、構成部材の削減と連結作業の簡略化が図れると共に、連結部の構成部材の外部への露呈の抑制が図れるようにした断熱パネルの連結構造を提供することを目的とする。
【課題を解決するための手段】
【０００８】
上記課題を達成するために、この発明の断熱パネルの連結構造は、一対の表面板と、これら表面板の辺部間に介在される枠材と、上記両表面板及び枠材にて形成される空間内に注入充填される発泡断熱材とを具備する第１及び第２の断熱パネルを直交状に連接し、第１の断熱パネルの枠材及び発泡断熱材を貫通するボルトを上記第２の断熱パネルの枠材にねじ結合して固定する断熱パネルの連結構造であって、  上記第１の断熱パネルの枠材を断面略コ字状に形成すると共に、連結面を構成する辺部に連結用の凹部を長手通しに形成し、  上記第２の断熱パネルの枠材は、上記連結用の凹部と嵌合可能な連結用の凸部を長手通しに形成すると共に、該凸部に第２の断熱パネルの枠材の長手方向に連接する第２の断熱パネル同士を跨いで固定する一対の脚部を有するコ字状の支え金具が収容可能な一対の凹溝部を形成し、  上記一対の凹溝部の一方に収容される上記支え金具の脚部を上記両第２の断熱パネルに食い込ませて上記第２の断熱パネル同士を固定し、上記第１の断熱パネルの枠材及び発泡断熱材を貫通するボルトを上記他方の凹溝部にねじ結合してなる、ことを特徴とする。
【０００９】
このように構成することにより、第２の断熱パネルを枠材の長手方向に連接した状態で、枠材に設けられた一対の凹溝部の一方にコ字状の支え金具を収容させて第２の断熱パネル同士を連結し、第１の断熱パネルの枠材及び発泡断熱材を貫通するボルトを他方の凹溝部にねじ結合して第１の断熱パネルと第２の断熱パネルを直交状に連結することができる。
【００１０】
この発明の断熱パネルの連結構造において、上記連結用の凹部の中央部に第１の断熱パネルの外方に向かって突出する凸条を長手通しに形成し、上記連結用の凸部の中央部には、上記凸条と嵌合可能な凹条を長手通しに形成するのが好ましい。
【００１１】
このように構成することにより、第１の断熱パネルと第２の断熱パネルの連結を強固にすると共に、気密性をもたせることができる。
【発明の効果】
【００１２】
この発明によれば、上記のように構成されているので、以下のような顕著な効果が得られる。
【００１３】
（１）互いに連結される第１，第２の断熱パネルの一方例えば第２の断熱パネルを枠材に設けられた一対の凹溝部の一方にコ字状の支え金具を収容させて第２の断熱パネル同士を連結し、第１の断熱パネルの枠材及び発泡断熱材を貫通するボルトを他方の凹溝部にねじ結合して第１の断熱パネルと第２の断熱パネルを直交状に連結することができるので、構成部材の削減と連結作業の簡略化が図れると共に、連結部の構成部材の外部への露呈を抑制が図れる。
【００１４】
（２）連結用の凹部の中央部に第１の断熱パネルの外方に向かって突出する凸条を長手通しに形成し、連結用の凸部の中央部には、凸条と嵌合可能な凹条を長手通しに形成することにより、上記（１）に加えて更に第１の断熱パネルと第２の断熱パネルの連結を強固にすると共に、気密性をもたせることができる。
【図面の簡単な説明】
【００１５】
【図１】この発明に係る断熱パネルの連結構造を示す断面図である。
【図２】この発明に係る断熱パネルの連結構造の要部を示す断面図（ａ）及び（ａ）のＩ−Ｉ線に沿う断面図（ｂ）である。
【図３】この発明における第２の断熱パネルを壁パネルに用いた場合の壁パネル同士の連結部を示す一部断面図（ａ）及び（ａ）のII−II線に沿う断面図（ｂ）である。
【図４】この発明における第１の断熱パネルを床パネルに用いた場合の床パネル同士の連結部を示す一部断面図（ａ）及び（ａ）のIII−III線に沿う断面図（ｂ）である。
【図５】この発明における第１の断熱パネルを天井パネルに用いた場合の要部を示す断面斜視図である。
【図６】第１の断熱パネルにおける枠材を示す断面図（ａ）、（ａ）のIV部拡大断面図（ｂ）、（ａ）のＶ部拡大断面図（ｃ）及び（ａ）のVI部拡大断面図（ｄ）である。
【図７】この発明における第２の断熱パネルを壁パネルに用いた場合の要部を示す断面斜視図である。
【図８】第２の断熱パネルにおける枠材を示す断面図である。
【発明を実施するための形態】
【００１６】
以下に、この発明を実施するための形態について、添付図面に基づいて詳細に説明する。ここでは、この発明に係る断熱パネルの連結構造を冷蔵庫の側壁と天井の連結部に適用した場合について説明する。
【００１７】
上記冷蔵庫は、天井を構成する第１の断熱パネル１Ａ（以下に天井パネル１Ａという）と側壁を構成する第２の断熱パネル１Ｂ（以下に壁パネル１Ｂという）が直交状に連接され、天井パネル１Ａ側から壁パネル１Ｂに向かって孔開けした状態で、ワッシャ７２を介して固定ボルト７０を嵌挿させ、壁パネル１Ｂにねじ結合することによって天井パネル１Ａと壁パネル１Ｂが直交状に連結されている。また、壁パネル１Ｂ同士が支え金具６０によって直状に連結されている。また、壁パネル１Ｂと床パネル１Ｃとが直交状に連結されている。
【００１８】
上記天井パネル１Ａ，壁パネル１Ｂ，床パネル１Ｃは、図１に示すように、一対の表面板２と、これら表面板２の辺部間に介在される枠材３Ａ，３Ｂと、両表面板２及び枠材３Ａ，３Ｂにて形成される空間内に充填される例えば発泡ポリウレタン等の発泡性の断熱材４とで主に構成されている。
【００１９】
上記表面板２は、例えばアルミニウム合金によって一定規格の大きさの薄板状に形成されており、各辺には対向する表面板２に向かって垂直に折曲される端部折曲片２１が形成されている（図２参照）。
【００２０】
天井パネル１Ａに設けられる枠材３Ａ（以下にコーナー枠材３Ａという）は、図５及び図６に示すように、一端部に表面板２の端部折曲片２１を嵌挿する嵌挿溝部３３ａ，３３ｂがそれぞれ設けられた上下に対峙する一対の辺部５１，５２（以下に上辺部５１，下辺部５２という）と、上辺部５１，下辺部５２の他端部同士を連結する連結辺部５３とを有する断面コ字状に形成され、上辺部５１，下辺部５２の一方すなわち下辺部５２には断面が略逆台形状に形成される凹部３１が設けられている。この場合、上辺部５１に設けられる嵌挿溝部３３ａは断面略Ｕ字状の垂直片３６ａに設けられ、下辺部５２に設けられる嵌挿溝部３３ｂは断面略逆Ｕ字状の垂直片３６ｂに設けられている。
【００２１】
凹部３１の底辺は一定の肉厚に形成されており、底辺の中央部に、天井パネル１Ａの外方（図６において下方）に向かって突出する凸条３５が形成され、該凸条３５と凹部３１の端部との間に、天井パネル１Ａの内方（図６において上方）に向かって凸状例えば略「く」字状の屈曲部３４が形成されている。この場合、屈曲部３４の先端を円弧状に形成してもよい。また、略「く」字状の屈曲部３４に代えて、屈曲部全体を天井パネル１Ａの内方に向かって円弧状に形成してもよい。
【００２２】
また、凸条３５の先端面は嵌挿溝部３３ｂを設けた垂直片３６ｂの先端面（図６において下端面）及び下辺部５２の先端面（図６において下端面）と面一に形成されている。このように形成することにより、発泡断熱材４の充填時に凸条３５の先端面を発泡治具（図示せず）に当接して固定した状態で、発泡断熱材４を発泡充填することができるので、発泡断熱材４の発泡圧により最も撓みが生じる凹部３１の中央部の変形（膨れ）を抑制することができる。
【００２３】
また、下辺部５２における屈曲部３４より外側の位置には、半円弧状の凹溝部４０ｃが設けられている。また、下辺部５２の下面における凹溝部４０ｃより屈曲部３４側の近傍位置には、Ｖ字状溝５４ａが長手方向に設けられている（図６（ｃ）参照）。また、上辺部５１の上面における上記Ｖ字状溝５４ａと対向する位置にもＶ字状溝５４ｂが長手方向に設けられている（図６（ｂ）参照）。
【００２４】
連結辺部５３の外面は、互いに平行な上端垂直面５３ａと、下端垂直面５３ｂと、上端垂直面５３ａの下部に位置する上部凹状面５３ｃと、下部凹状面５３ｃの下部に位置する上部帯状面５３ｄと、下端垂直面５３ｂの上部に位置する下部凹状面５３ｅと、下部凹状面５３ｅの上部に位置する下部帯状面５３ｆと、上部帯状面５３ｄと下部帯状面５３ｆ間に位置する中間凹状面５３ｇとが形成されており、上端垂直面５３ａと下端垂直面５３ｂと上部帯状面５３ｄ及び下部帯状面５３ｆは同一面上に形成されている。一方、連結辺部５３の内面の中央部には、壁パネル１ＢＡの内方に向かって漸次隆起する隆起部５５が設けられている。連結辺部５３の中間凹状面５３ｇにおける外面中央部には、Ｖ字状溝５４ｃが長手方向に設けられている（図６（ｄ）参照）。このＶ字状溝５４ｃは手作業でボルトやねじを打ち込む際の目印となる。
【００２５】
なお、上辺部５１及び下辺部５２の他端と連結辺部５３との隣接角部には傾斜状の補強リブ５６が連結されている。
【００２６】
上記のように形成されるコーナー枠材３Ａは、例えば塩化ビニル等の合成樹脂製の押出形材や射出成形材にて形成されている。
【００２７】
上記説明では、この発明における断熱パネルを天井パネル１Ａに用いた場合について説明したが、断熱パネルを床パネル１Ｃに用いる場合は、上記上辺部５１と下辺部５２が逆に形成されている。すなわち、図４（ｂ）に示すように、上辺部５１には断面が略逆台形状に形成される凹部３１が設けられており、底辺の中央部に、床パネル１Ｃの外方（上方）に向かって突出する凸条３５が形成され、該凸条３５と凹部３１の端部との間に、床パネル１Ｃの内方に向かって凸状例えば略「く」字状の屈曲部３４が形成されている。また、凸条３５の先端面は嵌挿溝部３３を設けた垂直片３６ａの先端面（上端面）及び上辺部５１の先端面（上端面）と面一に形成されている。
【００２８】
なお、断熱パネルを床パネル１Ｃに用いた場合は、上辺部５１における屈曲部３４より外側の位置に設けられた半円弧状の凹溝部４０ｃに後述するコ字状の支え金具６０を収容させて床パネル１Ｃ同士を連結する以外は、天井パネル１Ａに用いた場合と同じであるので、同一部分には同一符号を付して説明は省略する。
【００２９】
上記のように構成される天井パネル１Ａ、床パネル１Ｃにおいて、コーナー枠材３Ａに設けられた凹部３１の底辺の中央部に、天井パネル１Ａ、床パネル１Ｃの外方に向かって突出する凸条３５を形成し、凸条３５と凹部３１の端部との間に、壁パネル１Ｂの内方に向かって凸状例えば略「く」字状の屈曲部３４を形成することによって、コーナー枠材３Ａの凹部３１の肉厚を厚くすることなく、発泡断熱材４の発泡圧に対するコーナー枠材３Ａの上辺部５１又は下辺部５２の変形（膨れ）を抑制することができる。また、コーナー枠材３Ａの連結辺部５３の内面の中央部に、天井パネル１Ａ、床パネル１Ｃの内方に向かって漸次隆起する隆起部５５を設けることによって、発泡断熱材４の発泡圧に対するコーナー枠材３Ａの連結辺部５３の変形（膨れ）を抑制することができる。
【００３０】
一方、壁パネル１Ｂに設けられる枠材３Ｂは、図７及び図８に示すように、一対の表面板２の端部折曲片２１を嵌挿する一対の嵌挿溝部３３が設けられ、両嵌挿溝部３３間に該枠材３Ｂの長手方向に沿って断面が略逆台形状に形成される連結用の凸部３２（以下に凸部３２という）が形成されている。この場合、凸部３２の頂辺の平坦部は、一定の肉厚に形成されている。また、凸部３２の中央部には凹条３８が設けられ、凹条３８と両嵌挿溝部３３との間には、壁パネル１Ｂ同士を跨いで固定する後述するコ字状の支え金具６０が収納可能な一対の半円弧状の凹溝部４０ａ，４０ｂが設けられている。
【００３１】
上記枠材３Ｂは、例えば塩化ビニル等の合成樹脂製の押出形材や射出成形材にて形成されている。
【００３２】
上記のように構成される天井パネル１Ａと、壁パネル１Ｂとを連結するには、天井パネル１Ａに設けられたコーナー枠材３Ａの凹部３１及び凸条３５と、壁パネル１Ｂに設けられた枠材３Ｂの凸部３２及び凹条３８とを嵌合して、天井パネル１Ａと壁パネル１Ｂを直交状に連接し、固定ボルト７０によって天井パネル１Ａのコーナー枠材３Ａと、壁パネル１Ｂを固定する。この際、ワッシャ７２を貫通する固定ボルト７０の先端ねじ部７１をコーナー枠材３Ａの上辺部５１及び下辺部５２に設けられたＶ字状溝５４ａ，５４ｂを介して壁パネル１Ｂを貫通し、壁パネル１Ｂの枠材３Ｂに設けられた一方の凹溝部４０ｂにねじ結合する。これにより、凹溝部４０ｂが固定ボルト７０のねじ受け部となり、ねじ部７１の掛かり代すなわち接触面積が増えるので、強固な固定となる。
【００３３】
また、この連結状態においては、コーナー枠材３Ａに設けられた凹部３１と枠材３Ｂに設けられた凸部３２が嵌合されると共に、凹部３１に設けられた凸条３５が凸部３２に設けられた凹条３８が嵌合されることで、気密性及び断熱性の向上が図れる。
【００３４】
一方、壁パネル１Ｂ同士を連結するには、図２（ｂ）及び図３に示すように、連結する両壁パネル１Ｂの上端側の枠材３Ｂの凸部３２に設けられた凹溝部４０ａ，４０ｂの一方４０ａに一対の脚部６２を有するコ字状の支え金具６０の脚部６２を打ち込んで両壁パネル１Ｂに食い込ませて両壁パネル１Ｂ同士を連結する。この場合、支え金具６０は、両壁パネル１Ｂの枠材３Ｂに設けられた凹溝部４０ａ内に収容される断面円形状の棒状基部６１の両端に棒状基部６１に対して９０度より外方に若干傾斜して屈曲する一対の脚部６２を有する略コ字状に形成されており、脚部６２に尖端部６３が設けられている。なお、支え金具６０は壁パネル１Ｂの庫体内方側の凹溝部４０ａに取り付けられ、庫体外方側の凹溝部４０ｂは上述したように固定ボルト７０のねじ部７１のねじ受け部として機能する。
【００３５】
上記のように、両壁パネル１Ｂの上端側の枠材３Ｂの凸部３２に設けられた凹溝部４０ａにコ字状の支え金具６０の脚部６２を打ち込んで両壁パネル１Ｂに食い込ませて両壁パネル１Ｂ同士を連結することにより、連結部材である支え金具６０を外部に露呈することなく壁パネル１Ｂ同士を直状に連結することができる。
【００３６】
上記実施形態では、壁パネル１Ｂの枠材３Ｂに設けられた庫体内側の凹溝部４０ａに支え金具６０を収容して両壁パネル１Ｂの同士を直状に連結し、天井パネル１Ａのコーナー枠材３Ａを貫通する固定ボルト７０を庫体外側の凹溝部４０ｂにねじ結合して天井パネル１Ａと壁パネル１Ｂを直交状に連結する場合について説明したが、凹溝部４０ａ，４０ｂを逆にしてもよい。すなわち、庫体外側の凹溝部４０ｂに支え金具６０を収容し、庫体内側の凹溝部４０ａに固定ボルト７０をねじ結合してもよい。
【００３７】
このようにすることにより、凹溝部４０ａ，４０ｂのいずれかが壁パネル１Ｂ同士の連結と固定ボルトのねじ部の掛かり代の増大に寄与することができる。
【００３８】
また、床パネル１Ｃ同士を連結するには、図４に示すように、床パネル１Ｃの上辺部５１の凹部３１に設けられた凹溝部４０ｃに支え金具６０の脚部６２を打ち込んで両床パネル１Ｃに食い込ませて両床パネル１Ｃ同士を連結する。
【００３９】
上記のように、床パネル１Ｃの上辺部５１の凹部３１に設けられた凹溝部４０ｃに支え金具６０の脚部６２を打ち込んで両床パネル１Ｃに食い込ませて両床パネル１Ｃ同士を連結することにより、支え金具６０を外部に露呈することなく床パネル１Ｃ同士を直状に連結することができる。
【００４０】
なお、上記実施形態では、この発明に係る断熱パネルの連結構造を冷蔵庫の側壁と天井の連結部に適用した場合について説明したが、側壁同士を直交状に連結する場合においても同様に適用することができる。また、冷蔵庫以外の冷凍庫あるいはクリーンルーム等の側壁と天井の連結や側壁同士を直交状に連結する場合にも同様に適用することができる。
【符号の説明】
【００４１】
１Ａ  天井パネル（断熱パネル）
１Ｂ  壁パネル（断熱パネル）
２  表面板
３Ａ，３Ｂ  枠材
４  発泡断熱材
３１  連結用の凹部
３２  連結用の凸部
３５  凸条
３８  凹条
４０ａ，４０ｂ  凹溝部
５１  上辺部
５２  下辺部
５３  連結辺部
６０  支え金具
６２  脚部
７０  固定ボルト
７１  先端ねじ部
【図１】
2015025584.tif 000003
【図２】
2015025584.tif 000004
【図３】
2015025584.tif 000005
【図４】
2015025584.tif 000006
【図５】
2015025584.tif 000007
【図６】
2015025584.tif 000008
【図７】
2015025584.tif 000009
【図８】
2015025584.tif 000010